(57)【要約】【課題】利用者が操作手段を操作しながら直接時刻の入力を行い時計手段の設定及び調整する必要のない電話装置を提供することを目的とする。【解決手段】本発明の電話装置は、時刻をカウントする時計手段１７と、時計手段１７によってカウントした時刻を表示手段に表示する表示制御手段２２と、コンピュータ装置４を接続するための入出力インターフェイス１８と、入出力インターフェイス１８を介してコンピュータ装置４から受信した時刻情報に基づいて、時計手段１７を調整する第１の時計調整手段１９と、を備えた構成を有している。【選択図】  図１
2004282335.tif 000002
【特許請求の範囲】
【請求項１】
電話通信網に接続可能な電話装置であって、
時刻をカウントする時計手段と、
前記時計手段によってカウントした時刻を表示手段に表示する表示制御手段と、
コンピュータ装置を接続するための入出力インターフェイスと、
前記入出力インターフェイスを介して前記コンピュータ装置から受信した時刻情報に基づいて、前記時計手段を調整する第１の時計調整手段と、を備えたことを特徴とする電話装置。
【請求項２】
前記第１の時計調整手段には、前記入出力インターフェイスを介し、前記コンピュータ装置に時刻情報の送信を要求する時刻情報要求手段と、前記入出力インターフェイスを介し、前記コンピュータ装置から時刻情報を受信する第１の受信手段とが設けられ、
前記第１の時計調整手段が、前記第１の受信手段により受信した時刻情報に基づいて、前記時計手段を調整することを特徴とする請求項１記載の電話装置。
【請求項３】
前記第１の時計調整手段には、前記入出力インターフェイスにコンピュータ装置が接続されたことを検出するためのコンピュータ装置接続検出手段が設けられ、
前記時刻情報要求手段が、前記コンピュータ装置接続検出手段によりコンピュータ装置の接続が検出されたとき、前記入出力インターフェイスを介し、前記コンピュータ装置に時刻情報の送信を要求することを特徴とする請求項１または２に記載の電話装置。
【請求項４】
前記時刻情報要求手段は、前記コンピュータ装置接続検出手段によりコンピュータ装置の接続が検出した場合であっても、電話装置の各種パラメータが初期化されているときに限り、前記入出力インターフェイスを介し、前記コンピュータ装置に時刻情報の送信を要求することを特徴とする請求項３記載の電話装置。
【請求項５】
電話通信網に接続するための外線インターフェイスと、
前記外線インターフェイスを介して前記電話通信網から通知される時刻情報を受信し、該時刻情報に基づいて前記時計手段を調整する第２の時計調整手段とが設けられたことを特徴とする請求項１〜４のいずれかに記載の電話装置。
【請求項６】
前記第２の時計調整手段は、前記電話通信網から通知される時刻情報を受信しても前記時計手段を調整してから所定期間経過していると判断した場合に、前記受信した時刻情報に基づいて前記時計手段を調整することを特徴とする請求項５に記載の電話装置。
【請求項７】
前記第１の時計調整手段及び／または前記第２の時計調整手段を動作させるか否かを設定する時刻調整設定手段を有することを特徴とする請求項５または６に記載の電話装置。
【請求項８】
前記電話装置が構内交換機及び該構内交換機に接続される内線電話機から構成され、
前記表示制御手段が構内交換機に設けられるとともに、前記表示手段が内線電話機に設けられていることを特徴とする請求項１〜７のいずれかに記載の電話装置。
【請求項９】
前記構内交換機には、前記時計手段によってカウントした時刻を、前記内線電話機に対して送信するための内線インターフェイス手段が設けられていることを特徴とする請求項８記載の電話装置。
【発明の詳細な説明】
【０００１】
【発明の属する技術分野】
本発明は、時刻情報を表示手段に表示することができる電話装置に関するものである。
【０００２】
【従来の技術】
従来から、固定電話機、コードレス電話機、ファクシミリ、構内交換機などの電話装置には、時刻をカウントする時計手段を有し、その時計手段の情報を表示手段に表示するものがあった。そして、電話装置の表示手段を見ながら、所定の操作手段を操作することにより、この時計手段を設定及び調整することが可能である。
【０００３】
しかし、この時計手段の精度が悪い場合には、たびたびこの時計手段を調整する必要があり、一方、時計手段を調整すればよいといっても、ある程度の日数をおいた間隔で調整せざるをえず、調整方法を忘れることもしばしばであり、都度設定方法を記載した説明書を見る必要があり、わずらわしい。
【０００４】
そこで、着信時に電話回線より電話番号データと共に到来する着信時刻データを検出し、その時刻データにより、時計手段の設定を行う電話装置が提案されている（例えば、特許文献１参照）。
【０００５】
【特許文献１】
特開平４−３２４７３７号公報
【０００６】
【発明が解決しようとする課題】
しかしながら上記従来の電話装置では、着信時に着信時刻データを送信する電話回線に接続する場合には有効であるが、着信時刻データを送信する機能を有しない電話回線もあり、このような電話回線にしか電話装置を接続できない場合には、利用者が操作手段を操作しながら直接時刻の入力を行い、時計手段の設定及び調整しなければならないという課題があった。
【０００７】
本発明は、上記従来の課題に鑑み、利用者が操作手段を操作しながら直接時刻の入力を行い時計手段の設定及び調整する必要のない電話装置を提供することを目的とする。
【０００８】
【課題を解決するための手段】
本発明は上記従来の課題を解決するために、時刻をカウントする時計手段と、時計手段によってカウントした時刻を表示手段に表示する表示制御手段と、コンピュータ装置を接続するための入出力インターフェイスと、入出力インターフェイスを介してコンピュータ装置から受信した時刻情報に基づいて、時計手段を調整する第１の時計調整手段と、を備えた構成としている。
【０００９】
これによって利用者が操作手段を操作しながら直接時刻の入力を行い時計手段の設定及び調整する必要のない電話装置を提供することができるようになった。
【００１０】
【発明の実施の形態】
本発明の第１の発明は、電話通信網に接続可能な電話装置であって、時刻をカウントする時計手段と、時計手段によってカウントした時刻を表示手段に表示する表示制御手段と、コンピュータ装置を接続するための入出力インターフェイスと、入出力インターフェイスを介してコンピュータ装置から受信した時刻情報に基づいて、時計手段を調整する第１の時計調整手段と、を備えたことを特徴とする電話装置であり、コンピュータ装置の内部時計からの情報により構内交換機１の時計手段を調整できるので、直接時刻を入力する必要がなく、作業性に優れているという作用を有する。
【００１１】
本発明の第２の発明は、第１の発明において、第１の時計調整手段には、入出力インターフェイスを介し、コンピュータ装置に時刻情報の送信を要求する時刻情報要求手段と、入出力インターフェイスを介し、コンピュータ装置から時刻情報を受信する第１の受信手段とが設けられ、第１の時計調整手段が、第１の受信手段により受信した時刻情報に基づいて、時計手段を調整することを特徴とする電話装置であり、ＰＣの内部時計からの時刻情報を構内交換機から要求することができるので、構内交換機にコンピュータ装置から時刻情報を取り込む条件を設定することにより、状況に応じた時刻情報のコンピュータ装置からの取り込みを行うことができるという作用を有する。
【００１２】
本発明の第３の発明は、第１または２の発明において、第１の時計調整手段には、入出力インターフェイスにコンピュータ装置が接続されたことを検出するためのコンピュータ装置接続検出手段が設けられ、時刻情報要求手段が、コンピュータ装置接続検出手段によりコンピュータ装置の接続が検出されたとき、入出力インターフェイスを介し、コンピュータ装置に時刻情報の送信を要求することを特徴とする電話装置であり、コンピュータ装置を構内交換機に接続するだけで、コンピュータ装置の時刻情報を構内交換機に取り込み、時計手段の時刻情報を調整することができるので、作業性に優れているという作用を有する。
【００１３】
本発明の第４の発明は、第３の発明において、時刻情報要求手段は、コンピュータ装置接続検出手段によりコンピュータ装置の接続が検出した場合であっても、電話装置の各種パラメータが初期化されているときに限り、入出力インターフェイスを介し、コンピュータ装置に時刻情報の送信を要求することを特徴とする電話装置であり、設置者でない者等が誤ってＰＣを構内交換機に接続した場合であっても、時計手段が予期しない時刻に調整されることを防止することができるという作用を有する。
【００１４】
本発明の第５の発明は、第１〜４のいずれかの発明において、電話通信網に接続するための外線インターフェイスと、外線インターフェイスを介して電話通信網から通知される時刻情報を受信し、該時刻情報に基づいて時計手段を調整する第２の時計調整手段とが設けられたことを特徴とする電話装置であり、ＰＣからの時刻情報だけでなく、電話回線からの時刻情報を取り込んで時計手段の時刻を調整することができるため、状況に応じた時刻情報の取り込みが可能となるという作用を有する。
【００１５】
本発明の第６の発明は、第５の発明において、第２の時計調整手段は、電話通信網から通知される時刻情報を受信しても時計手段を調整してから所定期間経過していると判断した場合に、受信した時刻情報に基づいて時計手段を調整することを特徴とする電話装置であり、電話回線からの着信ごと時刻情報を取り込んで時計手段を調整する処理をすることがないから、制御手段の処理にほとんど負担をかけないにという作用を有する。
【００１６】
本発明の第７の発明は、第５または６の発明において、第１の時計調整手段及び／または第２の時計調整手段を動作させるか否かを設定する時刻調整設定手段を有することを特徴とする電話装置であり、時刻調整設定手段により、電話回線からの時刻情報とコンピュータ装置からの時刻情報のいずれか一方または両方を選択することができ、更に詳細な条件も設定可能であるため、設置場所に応じた自動的な時刻調整が可能となるという作用を有する。
【００１７】
本発明の第８の発明は、第１〜７のいずれかの発明において、電話装置が構内交換機及び該構内交換機に接続される内線電話機から構成され、表示制御手段が構内交換機に設けられるとともに、表示手段が内線電話機に設けられていることを特徴とする記載の電話装置であり、構内交換機のように設置の際、コンピュータ装置を接続して構内交換機の各種パラメータを設定するような電話装置の場合、設置者は、コンピュータ装置の内部時計さえ正確に調整しておけば、構内交換機の設置のたびに、構内交換機に時刻を直接入力する作業から開放されることになり、従って、設置者は構内交換機の時刻の調整をほとんど気にする必要がない。また、コンピュータ装置を構内交換機に接続するたびに時計手段の時刻を調整するようにしておけば、構内交換機は内線や外線の増設、パラメータの変更、その他メンテナンスのために、しばしば構内交換機１にコンピュータ装置を接続することがあり、設置時だけでなく、その後の時刻の調整が行われることになり、設置者にとっては極めて便利であるという作用を有する。
【００１８】
本発明の第９の発明は、第８の発明において、構内交換機には、時計手段によってカウントした時刻を、内線電話機に対して送信するための内線インターフェイス手段が設けられていることを特徴とする電話装置であり、構内交換機のように設置の際、コンピュータ装置を接続して構内交換機の各種パラメータを設定するような電話装置の場合、設置者は、コンピュータ装置の内部時計さえ正確に調整しておけば、構内交換機の設置のたびに、構内交換機に時刻を直接入力する作業から開放されることになるという作用を有する。
【００１９】
以下、本発明の実施の形態について、図面を参照しながら説明する。
【００２０】
（実施の形態１）
図１は本発明の実施の形態１における構内交換機システムからなる電話装置の構成図である。実施の形態１では、以下、主装置を備えた構内交換機と内線電話機からなる電話装置を説明するが、ボタン電話機等の他の主装置を備えた電話装置であっても同様である。
【００２１】
図１において、１は構内交換機、２は構内交換機１専用の専用内線電話機、３は一般の電話回線や構内交換機１と接続可能な一般電話機、４はパーソナルコンピュータ（以下、ＰＣ）であり、以下構内交換機１の内部構成について説明する。
【００２２】
１１は外線制御手段であり、電話回線と構内交換機１間の種々の制御を行うものであり、１２はアナログ外線インターフェイス、１３はＩＳＤＮ等のデジタル外線インターフェイス１３である。ここで、アナログ外線インターフェイス１２はアナログ電話回線に構内交換機１を接続するためのインターフェイスであり、デジタル外線インターフェイス１３はデジタル電話回線に構内交換機を接続するためのインターフェイスである。
【００２３】
１４は構内交換機１と内線電話機との間の種々の制御を行う内線制御手段であり、１５はデジタル内線インターフェイス、１６はアナログ内線インターフェイスである。なお、デジタル内線インターフェイス１５は構内交換機１に専用内線電話機２を接続するためのインターフェイスであり、専用内線電話機２と２Ｂ＋Ｄ形式のデジタル信号にて通信を行い、専用内線電話機２の機能制御、表示制御、通話制御等を行う。なお、構内交換機１からは、専用内線電話機２の表示部に時刻情報も表示させることができる。アナログ内線インターフェイス１６は構内交換機１に一般電話機３を接続するためのインターフェイスであり、ＢＯＲＳＣＨＴ機能などにより一般電話機３の通話制御等を行う。また、一般電話機３への着信時に、ベル信号間に周波数変調等を加えた時刻情報の信号を発呼者番号とともに通知する機能も有する。
【００２４】
１７は秒単位等で時間をカウントして、年、月、日、時、分、秒の値を算出し、後述の表示制御手段２２等に時刻データを出力する時計手段、１８はＰＣ４と構内交換機１間の通信を行うために、ＰＣ４を接続可能なＰＣインターフェイス（入出力インターフェイス）であり、インターフェイスの種別は、ＵＳＢ、ＲＳ−２３２Ｃ、モデム、ＬＡＮ等のいずれでもよい。
【００２５】
１９はＰＣインターフェイス１８を介してＰＣ４から受信した時刻情報に基づいて、時計手段１７を調整する第１の時計調整手段であり、図示はしないが、ＰＣ４に時刻情報の送信を要求する時刻情報要求手段１９ａと、ＰＣインターフェイス１８を介し、ＰＣ４から時刻情報を受信する受信手段１９ｂと、受信手段１９ｂにより受信した時刻情報に基づいて、時計手段１７を調整する調整手段１９ｃと、ＰＣインターフェイス１８にＰＣ４が接続されたことを検出するコンピュータ装置接続検出手段１９ｄを含む。
【００２６】
２０はアナログ外線インターフェイス１２やデジタル外線インターフェイス１３を介して電話通信網から通知される時刻情報を受信し、この時刻情報に基づいて、時計手段１７を調整する第２の時計調整手段であり、図示しないが、アナログ外線インターフェイス１２やデジタル外線インターフェイス１３を介して電話通信網から通知される時刻情報を受信する受信手段２０ａと、受信手段２０ａにより電話通信網から通知される時刻情報を受信するごとまたは所定間隔で、受信した時刻情報に基づいて、時計手段１７を調整する調整手段２０ｂを含む。
【００２７】
２１は第１の時計調整手段１９、第２の時計調整手段２０のそれぞれを動作させるか否か、またどのように動作させるかを設定する時刻調整設定手段であり、第１の時計調整手段１９の動作をＯＮ／ＯＦＦしたり、コンピュータ装置接続検出手段１９ｄによりＰＣインターフェイス１８にＰＣ４が接続されたことを検出した場合に、時刻情報要求手段１９ａから時刻情報の送信を要求し、受信手段１９ｂがＰＣ４から時刻情報を受信すると、調整手段１９ｃに受信した時刻情報に基づいて、時計手段１７を調整するように動作させる等の設定を行うものである。また、第２の時計調整手段２０の動作をＯＮ／ＯＦＦしたり、受信手段２０ａが電話通信網から通知される時刻情報を受信する毎に調整手段２０ｂで時計手段を調整するように動作させたり、所定間隔は受信手段２０ａで電話通信網から通知される時刻情報を受信しても調整手段２０ｂで時計手段を調整しないように動作させる等の設定を行う。
【００２８】
なお、時刻調整設定手段２１は後述の主装置制御手段２４に含まれるようにしてもよい。また、時刻調整設定手段２１は、ＰＣ４からＰＣインターフェイス１８を介して設定内容の登録・変更等が可能であり、構内交換機１の設置者や使用者は、主装置制御手段２４から送られる情報に基づいてＰＣ４の画面上に表示される設定画面から設置環境に応じた設定内容の登録・変更を行うことができる。
【００２９】
２２は専用電話機２や一般電話機３の表示手段に時刻情報を表示させるために、デジタル内線インターフェイス１５やアナログ内線インターフェイス１６を介して、時刻情報を専用電話機２や一般電話機３に送信する表示制御手段である。
【００３０】
２３はアナログ外線インターフェイス１２、デジタル外線インターフェイス１３、デジタル内線インターフェイス１５、アナログ内線インターフェイス１６間の音声信号の接続及び切断を行うためのスイッチ手段、２４は外線制御手段１１、内線制御手段１４、ＰＣインターフェイス１８、スイッチ手段２３、時刻調整設定手段２１、表示制御手段２２等の各種制御を行う主装置制御手段である。
【００３１】
以上のように構成された電話装置について、以下その動作を図１と図２を用いて説明する。図２は本発明の実施の形態１における外線着信時の時刻補正動作についてのシーケンスチャート、図３は本発明の実施の形態１におけるＰＣ接続時の時刻補正動作についてのシーケンスチャートである。
【００３２】
まず、外線着信時の時刻補正動作について図２，図３に基づいて説明する。
【００３３】
図２に示すように、電話回線網からＣａｌｌｅｒ  ＩＤ情報（発呼者番号情報）及び時計情報要素を含む着信があると、アナログ外線インターフェイス１２、デジタル外線インターフェイス１３を介して、受信手段２０ａがこの時刻情報を受信する（Ｓ１）。受信手段２０ａは、電話回線網から時刻情報を受信すると、以下の自動時刻補正の条件があるかどうかを判定する（Ｓ２）。
【００３４】
すなわち、自動時刻補正の条件は、（ａ）所定間隔は受信手段２０ａが時刻情報を受信しても時計手段１７を調整しない、（ｂ）デジタル回線からの時刻情報を受信したときのみ時計手段１７を調整する、（ｃ）アナログ回線からの時刻情報を受信したときのみ時計手段１７を調整する、（ｄ）受信手段２０ａで時刻情報を受信しても時計手段１７を調整しない、等がある。
【００３５】
次に、自動時刻補正の条件を判定した結果、条件があると判定すると、その条件に合致するか否かが判定され、その条件に合致すると判定されると、時刻情報を調整手段２０ｂに通知し、条件に合致しないと判定されるとそのまま処理を終了する。例えば、上記（ａ）の条件が時刻調整設定手段２１により設定されている場合、前回調整手段２０ｂに時刻情報を通知した時点から所定時間（例えば、１日）経過していると判定すると、受信した時刻情報を調整手段２０ｂに通知し、所定時間経過していないと判定すると、そのまま処理を終了する。また、上記（ｂ）の条件が時刻調整設定手段２１により設定されている場合、デジタル回線から時刻情報を受信したと判定した場合には、受信した時刻情報を調整手段２０ｂに通知し、アナログ回線から時刻情報を受信したと判定した場合には、そのまま処理を終了する。一方、Ｓ２において条件がないと判定した場合、受信した時刻情報をそのまま調整手段２０ｂに通知する（Ｓ３）。調整手段２０ｂは時刻情報の通知を受けると、受信した時刻情報に基づいて、時刻データを時計手段１７に入力して、時計手段１７の時刻を更新する（Ｓ４）。
【００３６】
一方、表示制御手段２２は、時計手段１７に対し時刻情報の出力を要求し（Ｓ５）、その要求に対する時計手段１７からの時刻情報を受信する（Ｓ６）と、専用内線電話機２に対してデジタル内線インターフェイス１５を介して、時刻情報を送信する。また、一般電話機３に対しては、この一般電話機３への着信時に、ベル信号間に周波数変調等を加えた時刻情報の信号を発呼者番号とともに通知する。受信手段２０ａで時刻情報を受信するごとに時計手段１７を調整する。
【００３７】
次に、ＰＣ接続時の時刻補正動作について図３に基づいて説明する。ＰＣインターフェイス１８にＰＣ４が接続されると、コンピュータ装置接続検出手段１９ｄは、ＰＣインターフェイス１８にＰＣ４が接続されたことを検出し（Ｓ１１）、時刻情報要求手段１９ａにＰＣ接続検出を通知する（Ｓ１２）。ＰＣ接続検出通知を受けた時刻情報要求手段１９ａは、ＰＣ４に対し時刻情報の送信要求を行う（Ｓ１３）。時刻情報の送信要求を受信したＰＣ４は内部時計から時刻情報を取り出し（Ｓ１４）、その時刻情報を、ＰＣインターフェイス１８を介して、第１の時計調整手段１９の受信手段１９ｂに送信する（Ｓ１５）。受信手段１９ｂは、ＰＣ４から時刻情報を受信すると、調整手段１９ｃに受信した時刻情報を通知する（Ｓ１６）。受信手段１９ｂから時刻情報を受信した調整手段１９ｃは、受信した時刻情報に基づいた時刻データを時計手段１７に入力して、時計手段１７の時刻を更新する（Ｓ１７）。
【００３８】
一方、表示制御手段２２は、時計手段１７に対し時刻情報の出力を要求し（Ｓ１８）、その要求に対する時計手段１７からの時刻情報を受信する（Ｓ１９）と、専用内線電話機２に対してデジタル内線インターフェイス１５を介して、時刻情報を送信する。また、一般電話機３に対しては、この一般電話機への着信時に、ベル信号間に周波数変調等を加えた時刻情報の信号を発呼者番号とともに通知する。
【００３９】
なお、以上はＰＣ４の接続を検出したときに、時計手段１７を調整することとしたが、時刻調整設定手段２１で設定することにより、ＰＣ４の接続を検出した場合でも、時計手段１７を調整しないようにすることも可能である。
【００４０】
また、構内交換機１からＰＣインターフェイス１８を介して、ＰＣ４に送信される設定画面情報をＰＣ４の表示手段（図示せず）に表示させ、表示手段の設定画面上でＰＣ４の内部時計に対して時計手段１７を合わせるための要求ができるようにしてもよい。この場合、設定画面上での要求は、第１の時計調整手段１９で受信され、上述のＳ１３〜Ｓ１７の動作により時計手段１７を調整する。このようにすれば、利用者が時計手段１７を調整したいときに、ＰＣ４を使っていつでも時計手段１７を調整できることになる一方、直接時刻を入力する必要がなく、作業性に優れている。
【００４１】
以上のように本実施の形態１によれば、ＰＣ４の内部時計からの情報により構内交換機１の時計手段１７を調整できるので、直接時刻を入力する必要がなく、作業性に優れた構内交換機１となる。とくに、構内交換機１の設置時には、各種パラメータの設定が必要であるため、ＰＣ４は構内交換機１に接続する場合がほとんどであり、設置者は、ＰＣ４の内部時計さえ正確に調整しておけば、構内交換機１の設置のたびに、構内交換機１に時刻を直接入力する作業から開放されることになり、従って、設置者は構内交換機１の時刻の調整をほとんど気にする必要がない。また、構内交換機１は内線や外線の増設、パラメータの変更、その他メンテナンスのために、しばしば構内交換機１にＰＣ４を接続することがあり、設置時だけでなく、その後の時刻の調整が行われることになり、設置者にとってはきわめて便利である。また、時刻情報が受信できない電話回線に接続している場合であっても、直接時刻を入力する必要がなく、作業性に優れている。
【００４２】
なお、ＰＣ４を接続するたびに、時計手段１７を調整することとして説明したが、内部時計が狂っているＰＣ４を誤って接続した場合には、狂ったままの時計情報で時計手段１７が更新されることになる。従って、このような問題を回避するために、構内交換機１の各種パラメータ（時計手段１７の時刻を含む）が初期化されたとき（初期化の立ち上げをしたときを含む）に、ＰＣ４の接続を検出すると、時計手段１７を調整し、その後はＰＣ４の接続を検出しても、時計手段１７を調整しないようにすることも可能である。このようにすれば、設置者でない者等が誤ってＰＣ４を構内交換機１に接続した場合であっても、時計手段１７が予期しない時刻に調整されることを防止することができる。また、ＰＣ４の接続を検出して時計手段１７を調整することはせずに、上述のようにＰＣ４の表示手段の設定画面上でＰＣ４の内部時計に時計手段１７を合わせるように要求することにより、時計手段１７が予期しない時刻に調整されることを防止することができる。
【００４３】
また、時刻調整設定手段２１により、電話回線からの時刻情報とＰＣ４からの時刻情報のいずれか一方または両方を選択することができ、さらに詳細な条件も設定可能であるため、設置場所に応じた自動的な時刻調整が可能となる。
【００４４】
【発明の効果】
本発明は、電話通信網に接続可能な電話装置であって、時刻をカウントする時計手段と、時計手段によってカウントした時刻を表示する表示手段と、コンピュータ装置を接続するための入出力インターフェイスと、入出力インターフェイスを介してコンピュータ装置から受信した時刻情報に基づいて、時計手段を調整する第１の時計調整手段とを備えたので、ＰＣの内部時計からの情報により構内交換機１の時計手段を調整できるので、直接時刻を入力する必要がなく、作業性に優れている電話装置を提供することができる。
【図面の簡単な説明】
【図１】本発明の実施の形態１における構内交換機システムからなる電話装置の構成図
【図２】本発明の実施の形態１における外線着信時の時刻補正動作についてのシーケンスチャート
【図３】本発明の実施の形態１におけるＰＣ接続時の時刻補正動作についてのシーケンスチャート
【符号の説明】
１  構内交換機
２  専用内線電話機
３  一般内線電話機
４  コンピュータ装置
１１  外線制御手段
１２  アナログ外線インターフェイス
１３  デジタル外線インターフェイス
１４  内線制御手段
１５  デジタル内線インターフェイス
１６  アナログ内線インターフェイス
１７  時計手段
１８  ＰＣインターフェイス
１９  第１の時計調整手段
１９ａ  時刻情報要求手段
１９ｂ  受信手段
１９ｃ  調整手段
１９ｄ  コンピュータ装置接続検出手段
２０  第２の時計調整手段
２０ａ  受信手段
２０ｂ  調整手段
２１  時計調整設定手段
２２  表示制御手段
２３  スイッチ手段
２４  主装置制御手段
【図１】
2004282335.tif 000003
【図２】
2004282335.tif 000004
【図３】
2004282335.tif 000005